(57)【特許請求の範囲】
【請求項１】
胴部２より口頚部３を起立した容器体Ａと、口頚部３に装着キッャプ４を嵌合させて着脱自在に容器体に装着するとともに、装着キャップ上方に突出させた噴出ヘッド５の上下動により容器体内の液を吸い上げてヘッドの噴出口６より噴出する如く構成した液体噴出ポンプＢとからなる液体噴出容器に於いて、大嵌合部７と、複数の小嵌合部８…とを上面より凹設してなる板状台座Ｃに、その大嵌合部７内に胴部２下端部を嵌合させて容器体Ａを固定し、各小嵌合部８…内にそれぞれ着脱自在に嵌合させた複数のキャップ付き小容器９…を設けてなることを特徴とする液体噴出容器。
【発明の詳細な説明】
【０００１】
【発明の属する技術分野】
本発明は液体噴出容器に関する。
【０００２】
【従来の技術】
液体噴出容器として、胴部より口頚部を起立した容器体と、容器体口頚部に嵌合させた装着キャップにより容器体に着脱自在に固定した液体噴出ポンプとを備えたものが知られている。これらのポンプは、装着キャップ上方に上方付勢状態で上下動可能に噴出ヘッドを突出させ、この噴出ヘッドを上下動させることにより、内蔵ポンプ機構の作用で容器体内の液を吸い上げてヘッドの噴出口より噴出する如く構成したものである。
【０００３】
従来のこの種容器には、例えば、シャンプーやリンス、或いは液状洗剤等種々の分野の液を収納している。
【０００４】
【発明が解決しようとする課題】
従来のこの種の容器に収納されている収納液は、一般に、その用途に合わせて香料等により種々の香りが施されている。
【０００５】
しかしながら、近年の嗜好の多様化或いは製品種類の多様化により、単一製品に於ける香りにも多種の要望があり、これらの要望を満足するには種々の香りのものを買い揃えておかなければならないという不都合があった。例えば、シャンプーやリンスに於いては男性用や女性用により香りが異なり、或いは同じ男性用，女性用の中でも多数の香りの需要がある。
【０００６】
本発明はこの様な点に鑑みなされたもので、主液を収納する容器体の他に、香料等の複数の着香剤を収納することができる小容器を、容器体とともに、しかも、コンパクトに付設しておくことができ、例えば、主液を原料臭のみのものにしておいて、使用のつど好みの香りを付着させることができる液体噴出容器を提案するものである。
【０００７】
【課題を解決するための手段】
本請求項１発明の容器は上記課題を解決するため、胴部２より口頚部３を起立した容器体Ａと、口頚部３に装着キッャプ４を嵌合させて着脱自在に容器体に装着するとともに、装着キャップ上方に突出させた噴出ヘッド５の上下動により容器体内の液を吸い上げてヘッドの噴出口６より噴出する如く構成した液体噴出ポンプＢとからなる液体噴出容器に於いて、大嵌合部７と、複数の小嵌合部８…とを上面より凹設してなる板状台座Ｃに、その大嵌合部７内に胴部２下端部を嵌合させて容器体Ａを固定し、各小嵌合部８…内にそれぞれ着脱自在に嵌合させた複数のキャップ付き小容器９…を設けてなることを特徴とする液体噴出容器として構成した。
【０００８】
【発明の実施の形態】
以下、本発明の実施例の形態を図面を参照して説明する。
本発明の容器１は、胴部２より口頚部３を起立した容器体Ａと、口頚部３に装着キッャプ４を嵌合させて着脱自在に容器体に装着するとともに、装着キャップ上方に突出させた噴出ヘッド５の上下動により、内蔵ポンプ機構の作用で、容器体内の液を吸い上げてヘッドの噴出口６より噴出する如く構成した液体噴出ポンプＢとを備えている。
【０００９】
上記ポンプ機構の一例を図示しないで説明すれば、容器体内へ下端を垂下させたシリンダの上端部を装着キャップにより容器体口頚部に固定させ、シリンダ内周に摺動可能に嵌合させた環状ピストンをステム外周下部より突設するとともにステムの上端に噴出ヘッドを嵌着固定して上下動可能に設けた作動部材を設け、該作動部材をコイルスプリングにより上方付勢させる。更に、シリンダ内下部に吸い込み弁を設けるとともに、ステム内に吐出弁を設けた形態のものが採用できる。また、ポンプ機構はこれに限らず、その他のこの種ポンプに使用されている様々なポンプ機構を採用できる。
【００１０】
本発明では、この種液体噴出容器に於いて、大嵌合部７と、複数の小嵌合部８…とを上面より凹設してなる板状台座Ｃに、その大嵌合部７内に胴部２下端部を嵌合させて容器体Ａを固定し、また、各小嵌合部８…内にそれぞれ着脱自在に嵌合させた複数のキャップ付き小容器９…を設けている。
【００１１】
台座Ｃは板状であればその形状は種々採用でき、例えば、図１に示す実施例の如く、平面視円形状をなすもの、或いは図５に示す実施例の如く、平面視矩形状をなすもの、その他種々の平面形状が採用でき、その表面も平坦なものや段差のあるもの等種々の形態が採用でき、中空板状のもの或いは中実板状のもの等の選択も行える。また、大嵌合部，各小嵌合部の形状も容器体Ａの形状或いは小容器の形状に合わせて適宜採用できる。
【００１２】
図示例に於いて台座Ｃは、下端面を開口した中空円板状をなし、円筒状の周壁10上端縁より頂壁11を延設するとともに、頂壁11上面の後部を下方へ凹ませて平面視円形状の大嵌合部７を凹設し、また、その前方外周縁に沿って平面視円形状の５個の小嵌合部８…をそれぞれ凹設している。大嵌合部７及び各小嵌合部８…の深さは種々採用できるが、台座Ｃが、下端面開口の中空板状の場合には、容器体の重量等を考慮して下面が載置面に当接する周壁10と同じ深さとしておくと安定性が良い。また、大嵌合部７及び各小嵌合部８…は図示例の如く凹部に限らず、貫通孔であっても良い。
【００１３】
各小容器９は、例えば、容器体Ａ内の収納液に香りを付与するための着香剤を収納しておくもので、所要量の収納液を噴出した都度、選択して所望の香りを液に付与するためのものである。
【００１４】
各小容器９は、本体9aと、該本体に着脱自在に装着したキャップ9bとからなる。本体の形態としては、例えば、筒状胴部上端より口頚部を起立したものが極一般的な形態として採用できる。また、胴部を圧搾可能として収納液を容易に噴出することができるものとしても良い。キャップ9bも、例えば、口頚部に螺着或いは突条相互の乗り越え係合により係止した周壁の上端縁より頂壁を延設した極一般的な形態のもの、或いは口頚部に螺着等させた嵌合筒を頂壁裏面より垂設するとともに、頂壁周縁部より周壁を垂設した形態のものが採用できる。また、その他に、本体をエアゾールタイプに形成した小噴霧器タイプとすることも可能である。
【００１５】
図示例では、上記小嵌合部８内に円筒状の本体9a下部を嵌合して上部を突出させており、本体9aの口頚部にはキャップ9bを螺着させて、全体として縦長円筒状に形成している。
【００１６】
小容器９の数及び小嵌合部８の数は必要に応じて適宜選択すればよく、図示例の５に限らず、２乃至４でも或いは６以上でも良い。また、その形状も上記円筒状のものに限らず、適宜採用できるものである。
【００１７】
図５乃至図７は本発明の他の実施例を示すもので、本実施例では、容器体Ａの胴部２の前面下部を後方へ凹ませて凹部12を形成し、この凹部12内に各小容器のを収納する如く構成している。
【００１８】
本実施例では、容器体胴部２を矩形筒状に形成するとともに、その前面上下方向中央部より下方を後方へ凹ませて凹部12を形成している。また、胴部２下端部周囲を若干縮径して嵌合部13に構成しており、嵌合部13の左右には係合凹溝14をそれぞれ凹設している。また、本実施例に於ける台座Ｃは、矩形筒状の周壁15上端縁より延設した頂壁16の前部を前方へ傾斜下降させた傾斜面16a とし、この傾斜面に４つの小嵌合部８…を凹設している。また、大嵌合部７は、傾斜面16a の後方に、周囲に僅かな幅を残して凹設しており、内面両側より上記各係合凹溝14に係合する係合突条17を突設している。また、傾斜面16a は上記凹部12内に略収納される如く構成している。
【００１９】
また、本実施例では  容器体Ａ及び台座Ｃ及び各小容器９は収納液を使い切った際にそれぞれ別々に交換することが可能な如く構成しており、例えば、図７に示す如く、ポンプＢ以外の容器体Ａ及び台座Ｃ及び小容器９のセットを交換品として構成している。尚、図７中18は交換用容器体に装着したキャップを示す。また、台座Ｃ及び各小容器９のみを交換品として構成することも、或いは小容器９のみを交換品として構成することも可能である。尚、この様な構成は当然図１の実施例にも応用できる。
【００２０】
上記の如く構成した容器を使用する場合には、例えば、容器体内に原料臭だけの微臭或いは無臭の液を収納しておき、各小容器体Ａ内にはそれぞれ異なる着香剤を収納しておく、そして、使用時に、ポンプＢにより汲み上げ吐出した主液に、小容器９から好みの着香剤を添加して使用する。
尚、上記各部材は全て合成樹脂により形成することができる。
【００２１】
【発明の効果】
以上説明した如く本発明容器は、複数のキャップ付き小容器を備えているため、例えば、それらにそれぞれ別の着香剤を収納しておき、また容器体内の主液を原料臭だけの微臭や略無臭状態としておけば、主液を使用する際に、その用途に合わせて別々の香りを付与することができるという使用上の便利がある。また、台座は容器体胴部下端部に位置し、その外周突出部分に各小容器を立設しているため、出来るだけコンパクトに全体を構成することができる。
【００２２】
また、台座の大嵌合部を、装着する容器体胴部の下端部形状に形成しておけば、従来容器をそのまま使用することができるという利点を兼ね備えている。
【図面の簡単な説明】
【図１】本発明の一実施例を示す斜視図である。
【図２】同実施例の台座を示す斜視図である。
【図３】同実施例の図２のＸ−Ｘ線に沿う縦断面図である。
【図４】同実施例の図２のＹ−Ｙ線に沿う縦断面図である。
【図５】本発明の他の実施例を示す斜視図である。
【図６】同実施例のポンプ付き容器体及び台座を示す分解斜視図である。
【図７】同実施例の一部切欠き側面図である。
【符号の説明】
２…胴部，３…口頚部，４…装着キャップ，５…噴出ヘッド，６…噴出口，
７…大嵌合部，８…小嵌合部，９…小容器，Ａ…容器体，
Ｂ…液体噴出ポンプ，Ｃ…台座
【図１】
0003859873.tif 000002
【図２】
0003859873.tif 000003
【図３】
0003859873.tif 000004
【図４】
0003859873.tif 000005
【図５】
0003859873.tif 000006
【図６】
0003859873.tif 000007
【図７】
0003859873.tif 000008